(57)【要約】【構成】選択した平坦な土を掘削して埋立地１を形成し、その掘削土で外周に堰堤２を築き、前記埋立地１中央に入口から反対側に通じる廃棄物運搬通路１４を確保して残りの範囲を金属パイプ、ブラケット、連結金具で足場を組むように縦横に組み立て、縦設した金属パイプの高さを略堰堤２の高さにして、中央の廃棄物運搬通路１４の上部には、網状金属板１６、パンチメタル等を敷設し、残りの堰堤２迄は縦設した金属パイプと堰堤２間をベニヤ板等の平板１７を敷設し、この網状金属板１６、平板１７の上に長尺細幅シートの被覆シート１８を長手方向端部が重なるように並べて張り、これ等を含んだ屋根設備全体をネットカバー１９で覆うようにした廃棄物処分場を覆う屋根設備及びその構築方法。【効果】強風、雪等の重さに耐えることができるものである。また、埋立ピットの設置場所の制約をうけることがなく、強風が多い地域、寒冷地で問題なく簡単に対応できる。【選択図】      図１
2005042298.tif 000002
【特許請求の範囲】
【請求項１】
廃棄物を投棄する埋立ピットを覆う屋根設備において、選択した平坦な土を掘削して埋立地を形成し、その掘削土で外周に堰堤を築き、前記埋立地中央に入口から反対側に通じる廃棄物運搬通路を確保して残りの範囲を金属パイプ、ブラケット、連結金具で足場を組むように縦横に組み立て、縦設した金属パイプの高さを略堰堤の高さにして、中央の廃棄物運搬通路の上部には、網状金属板、パンチメタル等を敷設し、残りの堰堤迄は縦設した金属パイプと堰堤間をベニヤ板等の平板を敷設し、この網状金属板、平板の上に長尺細幅シートの被覆シートを長手方向端部が重なるように並べて張り、これ等を含んだ屋根設備全体をネットカバーで覆うようにしたことを特徴とする廃棄物処分場を覆う屋根設備。
【請求項２】
選択した平坦な土を掘削して埋立地を形成し、その掘削土で外周に堰堤を築き、前記埋立地中央に入口から反対側の堰堤まで通じる廃棄物運搬通路を形成し、この廃棄物運搬通路部分を除いた範囲を金属パイプ、ブラケット、連結金具で堰堤の高さと略同等の高さまで縦横に足場のように仮設組み立てし、前記中央の廃棄物運搬通路の上部に網状金属板、パンチメタル等を敷設し、残りの外周に形成した堰堤迄は、組み立てた仮設足場と堰堤間にベニヤ板等の平板を敷設し、該網状金属板、平板の上に長尺細幅シートの被覆シートを長手方向端部が重なるように並べて張り、これ等を含んだ屋根設備全体をネットカバーで覆い外周を固定するようにしたことを特徴とする廃棄物処分場を覆う屋根設備の構築方法。
【発明の詳細な説明】
【０００１】
【発明の属する技術分野】
本発明は、廃棄物処分場の内面に、石灰系の固化剤を混入した泥を塗着して不透水層を形成し、廃棄物は全て処分の度に石灰系の薬剤で安定化してから投入し、重機等により踏み固めて汚水が地下に浸透しない不透水層とし、この作業を繰り返してグランドレベル迄埋立て、その上部を改質・安定化した廃棄物を利用した盛土により埋立てた廃棄物処分場の埋立作業に必要な空間を確保して埋立地である廃棄物処分場を覆う屋根設備に関するものである。
【０００２】
【従来の技術】
従来は、廃棄物処分場を被覆する施設である建築構造物として、地上に突出する形状となるため、周辺環境との調和を図るように配慮したもので、固定式として常時外界と遮断するテント式のアーチ、トラス、ラーメン、スペースフレーム、シェル、サスペンション、ハイブリッド等の設備と、これらを開閉式として必要に応じて降雨および日射の侵入、大気の移動を許して環境を制御する方式とかがあるが、その一例として、廃棄物を投棄する埋立てピットの両側に、隣接する組立ヤードに跨る区間に亘り走行レールを敷設したならば、前記組立ヤードにおいて走行レール上に収縮状態で蛇腹式テント屋根構造物を組み立てるとともに、該蛇腹式テント屋根構造物の内部にフレームを利用して被覆用遮水シートを取付け、次いで前記蛇腹式テント屋根構造物を前記走行レール方向に伸長させると同時に、前記被覆用遮水シートを展張し、前記埋立てピットを覆う屋根体を構築する屋根設備の構築工程と、前記埋立てピット内に廃棄物を投棄し埋め立てを行う埋立て処理工程と、埋立てピット内に廃棄物の投棄を終えたならば、前記被覆用遮水シートを蛇腹式テント屋根構造物から切り離し、埋立て領域を被覆する遮水シートを敷設する被覆処理工程と、前記蛇腹式テント屋根構造物を収縮し撤去するとともに、前記被覆用遮水シートの上面に覆土を行う埋立て最終処理工程と、からなることを特徴とする埋立て処理方法（例えば、特許文献１参照）が存在している。
また、被覆施設の設置方法として、埋立地全体を一つの構造物で覆うタイプと、埋立地を分割して一部の区画のみ覆い、埋立の進行に合わせて被覆施設を順次移設・移動していくタイプとがある。
【０００３】
【特許文献１】
特開２００２−１７７９１９（特許請求の範囲、図１、図４、図６、図７）
【０００４】
【発明が解決しようとする課題】
従来の廃棄物処分場における屋根設備は、蛇腹式テント屋根で、組み立ての際は、小面積の組立ヤードにより構築できる効果はあるが、埋立ピット全体を一つのテント屋根で覆うタイプの場合は、大容量の埋立地を造成できるため、スケールメリットによるイニシャルコストの低減が期待できるが建築法上の制約があり、強風、雪の重さ等に対応する必要がある。また、被覆施設の移動がないので、一定の環境管理を継続すれば安定した環境保全が図られるが、一方、換気および照明設備などの維持管理施設と環境保全施設とが大規模となり、施設の維持管理費が嵩む可能性もある。また、埋立ピットを分割して一部の区画毎に覆うタイプの場合は、埋立地を分割するための構造物が必要となるが、各埋立地が小規模となるため、被覆施設や浸出水処理設備などの建設費を軽減できる。また、埋立地として利用する範囲が制限でき、跡地利用および環境保全面で有利となる。さらに、小規模な埋立地となるため、管理が容易となる。しかし、全体として制作費が嵩むという欠点がある。
【０００５】
これに対して、本発明に係る廃棄物処分場を覆う屋根設備は、本発明者が既に発明をした特許第３１３１６８４号公報で示された廃棄物処分場の内面に、石灰系の固化剤を混入した泥を塗着して乾燥固化して不透水層を形成し、廃棄物は全て廃棄の度に改質・固化施設により改質・固化してから投入し、重機等により踏み固めて汚水が地下に浸透しない不透水層とし、その上面に溜った自然の雨水を貯め、ポンプアップして廃棄物の改質・固化施設に送り、この作業を繰り返してグランドレベル迄埋立て、その上部を改質・固化廃棄物を利用した盛土により埋立てた廃棄物処分場の埋立工法によって処理される埋立てピットを覆う廃棄物処分場を覆う屋根設備のため、換気および維持管理施設とが小規模で良く、施設の制作費用および維持管理費が安価ですむものである。また、埋立ピットの設置場所によって天井高さに制限があっても全く問題がないものである。
【０００６】
本発明は、このような事情に鑑み、建築法上の制約も回避でき、強風、雪の重さにも全く問題のない。しかも換気、維持管理施設は不要であったり、小規模で良かったり、制作費が低減でき、天井高さの制約という問題も解決した屋根設備を提案するものである。
【０００７】
【課題を解決するための手段】
本発明は、前記課題の解決を図ったもので、次のような技術手段を採用した。請求項１記載の発明においては、廃棄物を投棄する埋立ピットを覆う屋根設備において、選択した平坦な土を掘削して埋立地を形成し、その掘削土で外周に堰堤を築き、前記埋立地中央に入口から反対側に通じる廃棄物運搬通路を確保して残りの範囲を金属パイプ、ブラケット、連結金具で足場を組むように縦横に組み立て、縦設した金属パイプの高さを略堰堤の高さにして、中央の廃棄物運搬通路の上部には、網状金属板、パンチメタル等を敷設し、残りの堰堤迄は縦設した金属パイプと堰堤間をベニヤ板等の平板を敷設し、この網状金属板、平板の上に長尺細幅シートの被覆シートを長手方向端部が重なるように並べて張り、これ等を含んだ屋根設備全体をネットカバーで覆うという技術手段を採用した。
【０００８】
請求項２記載の発明においては、選択した平坦な土を掘削して埋立地を形成し、その掘削土で外周に堰堤を築き、前記埋立地中央に入口から反対側の堰堤まで通じる廃棄物運搬通路を形成し、この廃棄物運搬通路部分を除いた範囲を金属パイプ、ブラケット、連結金具で堰堤の高さと略同等の高さまで縦横に足場のように仮設組み立てし、前記中央の廃棄物運搬通路の上部に網状金属板、パンチメタル等を敷設し、残りの外周に形成した堰堤迄は、組み立てた仮設足場と堰堤間にベニヤ板等の平板を敷設し、該網状金属板、平板の上に長尺細幅シートの被覆シートを長手方向端部が重なるように並べて張り、これ等を含んだ屋根設備全体をネットカバーで覆い外周を固定するという技術手段を採用した。
【０００９】
【実施例】
先ず、本発明の廃棄物処分場について簡単に説明する。
ゴミ（主にリサイクルの輪から外れた可燃ゴミの焼却灰）を資源として活用するための廃棄物処分場である。これは「最終処分場」ではなく、「セメント原料の保管施設」で、貝殻と同じ「カルシウム」を用いて国土の環境保全に努めながら、安定した循環型社会を築いていくための廃棄物処分場である。
【００１０】
それは、図２に示すように埋立前の作業として、選択した平坦な土地を掘削して埋立地１（掘削地）を形成し、その掘削土で外側に堰堤２を築き、基礎地盤に石灰石３を敷いて底部と側部に不透水層４を施し、上部に遮水シート５を張る。
【００１１】
次に、図３に示すように埋立中として、石灰系の薬剤で安定化した焼却灰６（図４参照）を埋め立て、埋立層の表面を防水シート７で覆い、掘削土で築いた堰堤２を崩して防水シート７の上部に覆土８を施し、さらに覆土８を保護するために法面を緑化９する。
【００１２】
さらに図４に示すように埋立後の作業として、覆土８の全面を緑化１０して安定化した焼却灰６を保管しながら、跡地を公園等に活用し、安定化した焼却灰６は循環型社会を築いてからセメント原料としてリサイクルするものである。
【００１３】
この廃棄物処分場（ゴミを捨てない保管型処分場）は選択した土地の広さにより、図５に示すように掘削広さに合わせて周囲を土堰堤２で覆うようにし、中央に水処理施設１１を設け、区画堤１２で略４等分して４つの埋立区画１３を形成して、順次石灰系の薬剤で安定化した焼却灰６を埋め立てて、４つの埋立区画１３を埋め立てるものである。さらに、図６に示すように区画するには、その土地に合わせて種々の形状が採用できる。
【００１４】
そして、黒色の部分は水処理施設、白色抜きの部分は区画された埋立区画で、（ａ）（ｂ）（ｃ）（ｅ）（ｇ）（ｈ）は４区画、（ｄ）は１８区画、（ｆ）は２６区画にしたものをそれぞれ示すものである。この他区画数は適宜選択できることはいうまでもない。
【００１５】
以下、本発明の一実施例を図１に基づいて詳細に説明する。
図１は、本発明の第一実施例を示し、例えば台風等、強風にさらされる地域、雪の多い地域に設置する場合に有効なものである。
一実施例としては、図１に示すような屋根設備で、選択した平坦な土を掘削して埋立地１を形成し、その掘削土で外周に堰堤２を築き、前記埋立地中央に入口から反対側に通じる廃棄物運搬通路１４を確保して残りの範囲を金属パイプ１５、ブラケット、連結金具で足場を組むように縦横に組み立て、縦設した金属パイプ１５の高さを略堰堤２の高さにして、埋立地中央の廃棄物運搬通路１４の上部には、網状金属板１６、パンチメタル等を敷設し、残りの堰堤２迄は縦設した金属パイプ１５と堰堤２間をベニヤ板等の平板１７を敷設し、この網状金属板１６、平板１７の上に長尺細幅シートの被覆シート１８を長手方向端部が重なるように並べて張り、これ等を含んだ屋根設備全体をネットカバー１９で覆うようにした廃棄物処分場を覆う屋根設備で、沖縄県、高知県等、台風が上陸することが多い地域などに設備すると、風圧に耐える、しかも建築法の制限を受けない、廃棄物処分場を覆う屋根設備を得ることができる。
【００１６】
上記のような構成を有するので、入口２０（図２を参照）から、反対側の奥側に一定量の廃棄物を前記構成のように堰堤２間に張り渡したベニヤ板等の平板１７と網状金属板１６等の上部に長尺細幅シートの被覆シート１８を並べて張った屋根設備がある下に貯蔵し、この貯蔵した廃棄物を天候を見計らって、入口２０の反対側から前記屋根設備（長尺細幅シートの被覆シート１８、平板１７、網状金属板１６等）と仮設用金属パイプ１５の一部を解体して廃棄物を盛土状に埋め立てる。なお、悪天候の時は埋立作業を休んで廃棄物の上に防水シートを被せて置く。そして、前記解体した屋根設備と仮設用金属パイプ１５は屋根設備がある下に保管しておいて別な区画で再利用する。
【００１７】
また、埋立作業については、貯蔵した廃棄物を前記屋根設備の下で盛土状に埋め立てて、その後に仮設用金属パイプ１５を引き抜き、前記屋根設備を解体する方法を用いることもできる。
【００１８】
前記埋め立てた後、堰堤２の一部を崩して盛土状に埋め立てた廃棄物の上に覆土を施す。また、埋立地中央の廃棄物運搬通路１４の上は網状金属板１６を採用しているので明り取りになる。また、被覆シート１８が複数の長尺細幅シートで構成されているので部分的に取り外すことができる。さらに、屋根設備が仮設用金属パイプ１５、連結金具、網状金属板１６、ベニヤ板等の平板１７、長尺細幅シートの被覆シート１８、ネットカバー１９等で構成されているので建築コストや解体コストが安価である。
【００１９】
本発明の屋根設備は以上のような構成を有しているので、強風や豪雪に耐える構造であり、屋根設備の下で貯蔵しておいた廃棄物の中間処理（石灰系の薬剤を混合して安定化させる処理）ができ、廃棄物の最終処分場専用の屋根設備なので多少の雨漏りがあっても許容されるものである。
また、内部に溜った雨水は廃棄物の中間処理に利用できるし、内部に溜った雨水を廃棄物の中間処理に利用しない場合は、天気の良い日には、屋根設備を簡単に解体できるので、屋根設備の一部を開放して埋立区画全体に雨水を散水することによって蒸発させることができる。
【００２０】
【発明の効果】
本発明は、以上の構成を採用した結果、次のような効果を得ることができる。（１）廃棄物処分場を覆う屋根設備として、強風、雪等の重さに耐えることができるものである。
（２）廃棄物処分場を覆う屋根設備として、設備費が廉価である。
（３）埋立ピットの設置場所の制約をうけることがなく、強風が多い地域、寒冷地で問題なく簡単に対応できる。
【図面の簡単な説明】
【図１】本発明の第一実施例で、廃棄物処分場を覆う屋根設備を示す概略正面図である。
【図２】本発明の廃棄物処分場に廃棄物を埋め立てる前の状態を示す断面図である。
【図３】同じく廃棄物を埋め立て中の状態を示す断面図である。
【図４】同じく廃棄物を埋め立てた後の状態を示す断面図である。
【図５】本発明における廃棄物処分場の一形態を示す概略平面図である。
【図６】本発明における廃棄物処分場の他の形態を示す概略平面図である。
【符号の説明】
１‥‥埋立地                          ２‥‥堰堤
３・・・・石灰石                          ４・・・・不透水層
５・・・・遮水シート                      ６・・・・焼却灰
７・・・・防水シート                      ８・・・・覆土
９・・・・緑化                          １０・・・・緑化
１１・・・・水処理施設                    １２・・・・区画堤
１３・・・・埋立区画                      １４・・・・廃棄物運搬通路
１５・・・・仮設用金属パイプ              １６・・・・網状金属板
１７・・・・平板                          １８・・・・長尺細幅シートの被覆シート
１９・・・・ネットカバー                  ２０・・・・入口
【図１】
2005042298.tif 000003
【図２】
2005042298.tif 000004
【図３】
2005042298.tif 000005
【図４】
2005042298.tif 000006
【図５】
2005042298.tif 000007
【図６】
2005042298.tif 000008